(57)【要約】【課題】原稿を読み取って変換したＰＤＦのスライド番号と各スライドに記載された元原稿のページ番号とを合わせる。【解決手段】ＰＤＦ変換部１１は、原稿読取部１２０を介して原稿を１枚ずつ読み取ってＰＤＦに変換する。ＰＤＦ変換部１１は、ページ番号検出部１１１とスライド番号付加部１１２とを有している。ページ番号検出部１１１は、各原稿をＯＣＲ処理してページ番号を検出する。ページ番号検出部１１１で検出されたページ番号に合わせて、スライド番号付加部１１２は、原稿に対応するＰＤＦにスライド番号を付ける。【選択図】図２
2015211423.tif 000002
【特許請求の範囲】
【請求項１】
原稿を１枚ずつ読み取ってＰＤＦに変換するＰＤＦ変換部を備え、
前記ＰＤＦ変換部は、
各原稿をＯＣＲ処理して、ページ番号を検出するページ番号検出部と、
検出された前記ページ番号に合わせて、前記原稿に対応する前記ＰＤＦにスライド番号を付けるスライド番号付加部とを有する
ことを特徴とする画像形成装置。
【請求項２】
前記スライド番号付加部は、
前記ページ番号が検出された原稿に対応する前記ＰＤＦにスライド番号を付け、前記ページ番号が検出されなかった前記原稿に対応する前記ＰＤＦに、スライド番号を付けない
ことを特徴とする請求項１に記載の画像形成装置。
【請求項３】
前記スライド番号付加部は、
前記ページ番号が検出された原稿に対応するＰＤＦに前記検出されたページ番号と同じ番号のスライド番号を付ける
ことを特徴とする請求項１又は２に記載の画像形成装置。
【請求項４】
前記ページ番号検出部は、
今回原稿から検出した数値が前回原稿から検出した数値と同じ位置にあり、かつ、前回検出した数値からインクリメントされている場合に、前記前回検出した数値を前記前回の原稿に記載されたページ番号と判定し、今回検出した前記数値を前記今回の原稿に記載されたページ番号と判定し、前記今回の原稿から数値を検出できなかった場合と、前記今回の原稿から検出した数値が前記前回検出された数値からインクリメントされていなかった場合に、前記今回の原稿にページ番号が検出されなかったと判定する
ことを特徴とする請求項１から３までのいずれか１項に記載の画像形成装置。
【請求項５】
前記ページ番号検出部は、
前記各原稿の４辺近傍をＯＣＲ処理して数値の記載があるか否かを検出する
ことを特徴とする請求項１から４までのいずれか１項に記載の画像形成装置。
【発明の詳細な説明】
【技術分野】
【０００１】
本発明は、原稿を読み取って文字認識可能な画像形成装置に関する。
【背景技術】
【０００２】
近年、画像形成装置では、様々な機能を搭載したＭＦＰ（Multifunction Peripheral）が開発されている。例えば、ＯＣＲ（Optical Character Recognition）機能を用いて、原稿から見出しとページ番号を抽出し、原稿の目次を自動的に作成する技術が提案されている（例えば、特許文献１を参照）。また、原稿を読み取ってＰＤＦ（Portable Document Format）に変換する機能を備えた画像形成装置もあり、変換されたＰＤＦをプレゼンテーションで使用することができる。
【先行技術文献】
【特許文献】
【０００３】
【特許文献１】特開平08-137909号公報
【発明の概要】
【発明が解決しようとする課題】
【０００４】
しかしながら、従来の技術では、原稿にページ番号の記載がないページが含まれていると、原稿を読み取って変換したＰＤＦで例えばスライドショーを行った際に、各スライドのスライド番号と各スライドに記載された元原稿のページ番号との間で不一致が生じ、紛らわしいという問題があった。
【０００５】
本発明は上記課題に鑑みてなされたものであり、上記課題を解決することができる技術を提供することを目的とする。
【課題を解決するための手段】
【０００６】
本発明の画像形成装置は、原稿を１枚ずつ読み取ってＰＤＦに変換するＰＤＦ変換部を備え、前記ＰＤＦ変換部は、各原稿をＯＣＲ処理して、ページ番号を検出するページ番号検出部と、検出された前記ページ番号に合わせて、前記原稿に対応する前記ＰＤＦにスライド番号を付けるスライド番号付加部とを有することを特徴とする。
また、前記スライド番号付加部は、前記ページ番号が検出された原稿に対応する前記ＰＤＦにスライド番号を付け、前記ページ番号が検出されなかった前記原稿に対応する前記ＰＤＦに、スライド番号を付けなくてもよい。
また、前記スライド番号付加部は、前記ページ番号が検出された原稿に対応するＰＤＦに前記検出されたページ番号と同じ番号のスライド番号を付けてもよい。
また、前記ページ番号検出部は、今回原稿から検出した数値が前回原稿から検出した数値と同じ位置にあり、かつ、前回検出した数値からインクリメントされている場合に、前記前回検出した数値を前記前回の原稿に記載されたページ番号と判定し、今回検出した前記数値を前記今回の原稿に記載されたページ番号と判定し、前記今回の原稿から数値を検出できなかった場合と、前記今回の原稿から検出した数値が前記前回検出された数値からインクリメントされていなかった場合に、前記今回の原稿にページ番号が検出されなかったと判定してもよい。
また、前記ページ番号検出部は、前記各原稿の４辺近傍をＯＣＲ処理して数値の記載があるか否かを検出するようにしてもよい。
【発明の効果】
【０００７】
本発明によれば、原稿を読み取って変換したＰＤＦのスライド番号と各スライドに記載された元原稿のページ番号とを合わせることができる技術を提供できる。
【図面の簡単な説明】
【０００８】
【図１】本発明に係る実施形態の画像形成装置の構成を示す模式図である。
【図２】図１に示す画像形成装置の構成を示すブロック図である。
【図３】図２に示すＰＤＦ変換部の処理の流れを示すフローチャートである。
【図４】図２に示すページ番号検出部が原稿をＯＣＲ処理するイメージ図である。
【図５】原稿に記載のページ番号と原稿を変換したＰＤＦのスライド番号との関係を示したイメージ図である。
【発明を実施するための形態】
【０００９】
次に、本発明の実施の形態を、図面を参照して具体的に説明する。
【００１０】
本発明の実施の形態の画像形成装置１００は、複写機能、印刷機能、スキャナー機能等を有するＭＦＰであり、図１を参照すると、原稿読取部１２０と、原稿給送部１３０と、記録部１４０とを備えている。原稿読取部１２０は、記録部１４０の上部に配設され、原稿給送部１３０は、原稿読取部１２０の上部に配設されている。また、画像形成装置１００の前面側には、画像形成装置１００の設定や動作指示を行う操作部２が配設されている。
【００１１】
操作部２には、表示部２１と操作ボタン２２が設けられている。操作ボタン２２には、印刷枚数等の数値を入力するためのテンキー、設定情報を初期化させる指示を入力するためのリセットキー、複写動作を停止させたり、入力された数値を消去させたりするためのストップキー、印刷動作を開始させる出力指示を入力するためのスタートキー等の常設操作キーが設けられている。
【００１２】
表示部２１は、操作入力を受け付ける各種操作キーを表示する表示パネルと、表示部２１の表示面に設けられ、操作者の指先やスタイラス等の押圧によるタッチ入力を検知し、タッチ入力が検知された位置に対応する信号を出力することで、表示部２１に表示された操作キーへの操作を受け付けるタッチパネルとを備えている。
【００１３】
原稿読取部１２０は、スキャナー１２１と、プラテンガラス１２２と、原稿読取スリット１２３とを備えている。スキャナー１２１は、露光ランプ及びＣＣＤ（Charge Coupled Device）センサー等から構成され、原稿給送部１３０による原稿ＭＳの搬送方向に移動可能に構成されている。プラテンガラス１２２は、ガラス等の透明部材により構成された原稿ＭＳ台である。原稿読取スリット１２３は、原稿給送部１３０による原稿ＭＳの搬送方向と直交方向に形成されたスリットを有する。
【００１４】
プラテンガラス１２２に載置された原稿ＭＳを読み取る場合には、スキャナー１２１は、プラテンガラス１２２に対向する位置に移動され、プラテンガラス１２２に載置された原稿ＭＳを走査しながら原稿ＭＳを読み取って画像データを取得する。また、原稿給送部１３０により搬送された原稿ＭＳを読み取る場合には、スキャナー１２１は、原稿読取スリット１２３と対向する位置に移動され、原稿読取スリット１２３を介し、原稿給送部１３０による原稿ＭＳの搬送動作と同期して原稿ＭＳを読み取って画像データを取得する。
【００１５】
原稿給送部１３０は、原稿載置部１３１と、原稿排出部１３２と、原稿搬送機構１３３とを備えている。原稿載置部１３１に載置された原稿ＭＳは、原稿搬送機構１３３によって、１枚ずつ順に繰り出されて、原稿読取部１２０の原稿読取スリット１２３に対向する位置へ搬送され、その後、原稿排出部１３２に排出される。なお、原稿給送部１３０は、可倒式に構成され、原稿給送部１３０を上方に持ち上げることで、プラテンガラス１２２の上面を開放させることができる。
【００１６】
記録部１４０は、画像形成部１５０を備えると共に、給紙部１６０と、搬送路１７０と、搬送ローラー１８１と、排出ローラー１８２と、画像形成装置１００の胴内排出空間に設けられた胴内排出トレイ１９０とを備えている。
【００１７】
給紙部１６０は、記録紙Ｐを収納する複数の給紙カセット１６１ａ〜ｄと、給紙カセット１６１ａ〜ｄから記録紙Ｐを１枚ずつ搬送路１７０に繰り出す給紙ローラー１６２とを備えている。給紙ローラー１６２、搬送ローラー１８１及び排出ローラー１８２が搬送部として機能し、記録紙Ｐが搬送される。給紙ローラー１６２によって搬送路１７０に繰り出された記録紙Ｐは、搬送ローラー１８１によって画像形成部１５０に搬送される。そして、画像形成部１５０によって記録が施された記録紙Ｐは、排出ローラー１８２に導かれて胴内排出トレイ１９０に印刷物として出力される。なお、本実施の形態では、４個の給紙カセット１６１ａ〜ｄが備えられている。
【００１８】
画像形成部１５０は、感光体ドラム１５１と、帯電部１５２と、露光部１５３と、現像部１５４と、転写部１５５と、クリーニング部１５６と、定着部１５７とを備えている。露光部１５３は、レーザー装置やミラー等を備えた光学ユニットであり、画像データに基づいてレーザー光を出力して、帯電部１５２によって帯電された感光体ドラム１５１を露光し、感光体ドラム１５１の表面に静電潜像を形成する。現像部１５４は、トナーを用いて感光体ドラム１５１に形成された静電潜像を現像する現像ユニットであり、静電潜像に基づいたトナー像を感光体ドラム１５１上に形成させる。転写部１５５は、現像部１５４によって感光体ドラム１５１上に形成されたトナー像を記録紙Ｐに転写させる。定着部１５７は、転写部１５５によってトナー像が転写された記録紙Ｐを加熱してトナー像を記録紙Ｐに定着させる。
【００１９】
図２を参照すると、画像形成装置１００の操作部２、原稿読取部１２０、原稿給送部１３０、画像形成部１５０及び搬送部（給紙ローラー１６２、搬送ローラー１８１、排出ローラー１８２）は、制御部１に接続され、制御部１によって動作制御される。また、制御部１には、記憶部３と画像処理部４とが接続されている。
【００２０】
記憶部３は、原稿読取部１２０によって原稿ＭＳを読み取ることで取得された画像データなどが記憶される、半導体メモリやＨＤＤ（Hard Disk Drive）等の記憶手段である。
【００２１】
画像処理部４は、画像データに対して画像処理を行う手段である。画像処理部４では、例えば、拡大縮小処理や、濃度調整、階調調整等の画像改善処理が行われる。
【００２２】
制御部１は、ＲＯＭ（Read Only Memory）、ＲＡＭ（Random Access Memory）等を備えたマイクロコンピュータ等の情報処理部である。ＲＯＭには画像形成装置１００の動作制御を行うための制御プログラムが記憶されている。制御部１は、ＲＯＭに記憶されている制御プログラムを読み出し、制御プログラムをＲＡＭに展開させることで、操作部２から入力された所定の指示情報に応じて装置全体の制御を行う。また、制御部１は、原稿読取部１２０で読み取られた画像データをＰＤＦに変換するＰＤＦ変換部１１として機能する。
【００２３】
ＰＤＦ変換部１１は、ページ番号検出部１１１とスライド番号付加部１１２とを有しており、原稿ＭＳをＰＤＦに変換する際に、読み取り元の原稿ＭＳに記載されたページ番号に合わせて、ＰＤＦにスライド番号を付けることができる。ページ番号検出部１１１は、各原稿ＭＳをＯＣＲ処理して、原稿ＭＳからページ番号を検出する機能を有する。また、スライド番号付加部１１２は、ページ番号検出部１１１の検出結果に応じて、原稿ＭＳに対応するＰＤＦにスライド番号を付ける機能を有する。
【００２４】
具体的に図３を参照して、ＰＤＦ変換部１１の処理の流れを説明する。
【００２５】
ＰＤＦ変換部１１のページ番号検出部１１１は、原稿読取部１２０を介して原稿ＭＳを読み取って（ステップｓ１１）、原稿ＭＳの４辺近傍（例えば図４に示す原稿ＭＳの斜線部分）にＯＣＲ処理を行い（ステップｓ１２）、数値を検出したか判定する（ステップｓ１３）。ページ番号は、ほとんどの場合原稿ＭＳの４辺近傍に挿入されていることが多いからである。ページ番号検出部１１１は、アラビア数字やローマ数字、漢数字などの数字を検出した場合に、数値を検出したと判定してもよい。
【００２６】
数値を検出できた場合（ステップｓ１３でＹｅｓ）、ページ番号検出部１１１は、初めて数値を検出したか否かを判定する（ステップｓ１４）。
【００２７】
初めて数値が検出された場合（ステップｓ１４でＹｅｓ）、ＰＤＦ変換部１１のスライド番号付加部１１２は、今回の原稿ＭＳをＰＤＦに変換し、ＰＤＦのスライド番号を無しにする（ステップｓ１５）。つづいて、次の原稿ＭＳがあるか判定され（ステップｓ２４）、次の原稿ＭＳがある場合には（ステップｓ２４でＹｅｓ）、ステップｓ１１に処理が戻る。
【００２８】
一方、数値の検出が初めてでない場合（ステップｓ１４でＮｏ）、ページ番号検出部１１１は、今回の数値の検出位置が前回の数値の検出位置と同じであるか判定する（ステップｓ１６）。検出位置が同じ場合には（ステップｓ１６でＹｅｓ）、ページ番号検出部１１１は、今回の数値が前回の数値からインクリメントされているか判定する（ステップｓ１７）。インクリメントされている場合には（ステップｓ１７でＹｅｓ）、ページ番号検出部１１１は、今回検出した数値と前回検出した数値が、それぞれの原稿ＭＳに記載のページ番号であると判定する（ステップｓ１８）。
【００２９】
つづいて、スライド番号付加部１１２は、今回の原稿ＭＳをＰＤＦに変換して、今回検出した数値と同じスライド番号をＰＤＦに付ける（ステップｓ１９）。つづいて、スライド番号付加部１１２は、前回数値を検出した原稿ＭＳのＰＤＦにスライド番号が付いているか否かを判定し（ステップｓ２０）、スライド番号が付いている場合には（ステップｓ２０でＹｅｓ）、ステップｓ２４に処理を進め、スライド番号が付いていない場合には（ステップｓ２０でＮｏ）、前回数値を検出した原稿ＭＳのＰＤＦに、前回検出した数値と同じスライド番号を付けて（ステップｓ２１）、ステップｓ２４に処理を進める。つづいて、次の原稿ＭＳがあるか判定され（ステップｓ２４）、次の原稿ＭＳがある間（ステップｓ２４でＹｅｓ）、ステップｓ１１〜ステップｓ２４までの処理が繰り返される。
【００３０】
数値を検出できなかった場合や（ステップｓ１３でＮｏ）、今回の数値の検出位置と前回の数値の検出位置とが違う場合や（ステップｓ１６でＮｏ）、今回の数値が前回の数値からインクリメントされていない場合には（ステップｓ１７でＮｏ）、ページ番号検出部１１１は、今回の原稿ＭＳにページ番号の記載無しと判定する（ステップｓ２２）。この場合、スライド番号付加部１１２により、今回の原稿ＭＳがスライド番号無しのＰＤＦに変換され（ステップｓ２３）、次の原稿ＭＳがある間（ステップｓ２４でＹｅｓ）、ステップｓ１１からステップｓ２４までの処理が繰り返される。
【００３１】
次の原稿ＭＳがなくなると（ステップｓ２４でＮｏ）、ＰＤＦ変換部１１は、変換した各ＰＤＦを１つのＰＤＦにまとめ（ステップｓ２５）、本処理を終了する。
【００３２】
例えば、図５に示すように、１〜８ページの原稿ＭＳにおいて、１ページ目の表紙、２ページ目の目次、及び５ページ目の挿絵にページ番号ｎが記載されていない原稿ＭＳをＰＤＦに変換したとする。この原稿ＭＳでは、３ページ目にページ番号「１」、４ページ目にページ番号「２」、６ページ目にページ番号「３」、７ページ目にページ番号「４」、８ページ目にページ番号「５」が記載されている。
【００３３】
この場合、原稿ＭＳの１ページ目、２ページ目からは、４辺近傍に数値が検出されず、ページ番号ｎが記載されていないと判定されるので、ＰＤＦに変換された際にはスライド番号が付かない。一方、原稿ＭＳの３ページ目、４ページ目からは、４辺近傍でそれぞれ数値「１」、「２」が検出される。原稿ＭＳの４ページ目から検出された数値「２」は、原稿ＭＳの３ページ目から検出された数値「１」からインクリメントされているので、数値「１」、「２」はそれぞれの原稿ＭＳに記載されたページ番号ｎと判定される。そのため、ＰＤＦに変換された際には、原稿ＭＳの３ページ目、４ページ目に対応するＰＤＦのそれぞれに、原稿ＭＳの３ページ目、４ページ目に記載されたページ番号ｎと同じスライド番号「１」、「２」が付く。
【００３４】
また、原稿ＭＳの５ページ目では、４辺近傍に数値が検出されず、ページ番号ｎが記載されていないと判定されるので、ＰＤＦに変換された際にスライド番号が付かない。原稿ＭＳの６ページ目からは、数値「３」が検出され、前回４ページ目の原稿ＭＳから検出された数値「２」からインクリメントされているので、ページ番号ｎと判定され、ＰＤＦに変換された際に、スライド番号「３」が付く。つづく原稿ＭＳの７ページ目、８ページからも数値が検出され、それぞれ前回検出された数値からインクリメントされた値であり、ページ番号ｎと判定され、ＰＤＦに変換された際に、それぞれの原稿ＭＳに記載されたページ番号ｎと同じスライド番号が付く。
【００３５】
なお、上記処理では、ページ番号検出部１１１は、今回数値を検出した原稿ＭＳと前回数値を検出した原稿ＭＳとの比較により、それぞれの原稿ＭＳから検出された数値がページ番号ｎであるか否かを判定したが、最初に数値「１」を検出した場合に限っては、以降の原稿ＭＳで数値を検出できなかったとしても、数値「１」をページ番号ｎと判定するようにしてもよい。これによれば、ページ番号ｎが「１」しか記載されておらず、以降の原稿ＭＳでページ番号ｎの記載がない場合であっても、スライド番号付加部１１２は、ページ番号「１」の記載があった原稿ＭＳに対応するＰＤＦにスライド番号「１」を付けることができる。
【００３６】
このように、本実施形態では、原稿ＭＳを読み取ってＰＤＦに変換する際に、各原稿ＭＳにＯＣＲ処理を行って、ページ番号ｎの記載の有無を検出し、ページ番号ｎを検出した原稿ＭＳに対応するＰＤＦにページ番号ｎと同じスライド番号を付け、ページ番号ｎを検出できなかった原稿ＭＳに対応するＰＤＦにスライド番号を付けないようにしている。そのため、本実施形態によれば、原稿ＭＳに記載されたページ番号ｎと、原稿ＭＳのＰＤＦにおけるスライド番号とを揃えることができる。これにより、例えば原稿ＭＳのＰＤＦでプレゼンテーション等を行って、第三者と情報を共有する際に、ページ番号ｎで誤解が生じるのを防ぐことができる。
【００３７】
本発明は上述した実施の形態に限定されるものではなく、本発明の趣旨を逸脱しない範囲で種々様々に変更が可能であることは言うまでもない。
【００３８】
例えば、画像形成装置１００は、スライド番号補正モードを備えてもよい。ＰＤＦ変換部１１は、スライド番号補正モードがＯＮに設定されている場合、原稿ＭＳを読み取ってＰＤＦに変換する際に、原稿ＭＳに記載のページ番号ｎに合わせてＰＤＦのスライド番号を付け、スライド番号補正モードがＯＦＦに設定されている場合、原稿ＭＳの読み取り順にＰＤＦにスライド番号が付くようにしてもよい。また、スライド番号補正モードのＯＮ／ＯＦＦは、プリンタドライバのＧＵＩ（Graphical User Interface）や、画像形成装置１００の操作部２を介して、ユーザーが任意に設定できるようにしてもよい。
【００３９】
また、上記実施形態では、ページ番号ｎが検出されなかったと判定された原稿ＭＳのＰＤＦにはスライド番号を付けなかったが、ページ番号ｎが検出されたと判定された原稿ＭＳのページ番号ｎと誤解を生じなければ、スライド番号を付けてもよい。例えば、図５に示す原稿ＭＳの場合では、原稿ＭＳの１ページ目、２ページ目に対応するＰＤＦのそれぞれにスライド番号「０−１」、「０−２」と付け、原稿ＭＳの５ページ目に対応するＰＤＦにスライド番号「２−１」と付けるようにして、スライド番号を補完してもよい。
【符号の説明】
【００４０】
１  制御部
２  操作部
３  記憶部
４  画像処理部
１１  ＰＤＦ変換部
２１  表示部
２２  操作ボタン
６０  表示領域
１００  画像形成装置
１１１  ページ番号検出部
１１２  スライド番号付加部
１２０  原稿読取部
１２１  スキャナー
１２２  プラテンガラス
１２３  原稿読取スリット
１３０  原稿給送部
１３１  原稿載置部
１３２  原稿排出部
１３３  原稿搬送機構
１４０  記録部
１５０  画像形成部
１５１  感光体ドラム
１５２  帯電部
１５３  露光部
１５４  現像部
１５５  転写部
１５６  クリーニング部
１５７  定着部
１６０  給紙部
１６１ａ〜ｄ  給紙カセット
１６２  給紙ローラー
１７０  搬送路
１８１  搬送ローラー
１８２  排出ローラー
１９０  胴内排出トレイ
ｎ  ページ番号
ＭＳ  原稿
【図１】
2015211423.tif 000003
【図２】
2015211423.tif 000004
【図３】
2015211423.tif 000005
【図４】
2015211423.tif 000006
【図５】
2015211423.tif 000007